(57)【要約】【課題】部材の製造を容易化し、製造コストの削減を図った照明器具を提供する。【解決手段】支柱３の上端部３Ｂに固定される灯具本体４にヒンジ２０，２０（支軸）を中心に先端側が上に開くように取り付けられた蓋体１を備え、この蓋体１の先端に設けたラッチ部材３１を、灯具本体の先端に設けたラッチ受け３０に掛止して蓋体１の閉状態を保持可能とした照明器具２において、ラッチ部材３１の内側に下向きに延びた掛止片３２を固定し、蓋体１の閉動作時には、蓋体１の閉動作と同時に、この掛止片３２が上から下に移動してラッチ受け３０の一部に自動的に仮掛止し、ラッチ部材３１は、上から下に回動させてラッチ受け３１に掛止可能とした。【選択図】図３
2009048891.tif 000002
【特許請求の範囲】
【請求項１】
支柱の上端部に固定される灯具本体に支軸を中心に先端側が上に開くように取り付けられた蓋体を備え、この蓋体の先端に設けたラッチ部材を、前記灯具本体の先端に設けたラッチ受けに掛止して前記蓋体の閉状態を保持可能とした照明器具において、
前記ラッチ部材の内側に下向きに延びた掛止片を固定し、
前記蓋体の閉動作時には、該蓋体の閉動作と同時に、この掛止片が上から下に移動して前記ラッチ受けの一部に自動的に仮掛止し、
前記ラッチ部材は、上から下に回動させて当該ラッチ受けに掛止可能とした
ことを特徴とする照明器具。
【請求項２】
前記掛止片は、前記ラッチ受けが貫通する開口と、該掛止片の下端縁から先端方向の斜め下方へ向かって延設された案内片を有し、
前記蓋体が開状態から閉状態へと回動すると、該回動に応じて前記案内片が前記ラッチ受けを前記開口へ案内し、該開口に前記掛止片が自動的に仮掛止し、前記ラッチ部材は前記開口を貫通した前記ラッチ受けに掛止可能とした
ことを特徴とする請求項１に記載の照明器具。
【請求項３】
前記掛止片は、前記ラッチ受けの略中央部に自動的に仮掛止し、この略中央部を避けた前記ラッチ受けの両側に前記ラッチ部材を掛止可能とした
ことを特徴とする請求項１に記載の照明器具。
【請求項４】
前記ラッチ受けの平板部に掛止用開口を有し、
前記掛止片は、前記蓋体が開状態から閉状態へと回動すると、該回動に応じ前記掛止用開口に進入し、傾斜部が前記掛止用開口の内周に当接して、該開口内に自動的に仮掛止する掛止部材で構成された
ことを特徴とする請求項１に記載の照明器具。
【請求項５】
前記ラッチ受けと前記ラッチ部材との掛止状態を解く方向に前記ラッチ部材を付勢する付勢手段を前記蓋体に設けた
ことを特徴とする請求項１乃至４のいずれかに記載の照明器具。
【発明の詳細な説明】
【技術分野】
【０００１】
本発明は、道路の支柱等に取り付けて使用する照明器具に関する。
【背景技術】
【０００２】
従来、灯具本体と、基端がこの灯具本体に開状態と閉状態の間を回動可能に軸支された蓋体と、蓋体及び灯具本体で囲う光源とを有し、道路脇の支柱等に取り付けて使用する照明器具において、灯具本体及び蓋体の先端に、ラッチ受け及びラッチ部材を備えるラッチ装置を設け、このラッチ装置により蓋体をロックし、蓋体の閉状態を保持するものが知られている。この種の照明器具では、実際に支柱に取り付けた後に、振動や強風等により蓋体が開状態となってしまうと、照明器具の故障の原因になるだけでなく、照明器具に使用されている部品等が落下する可能性が生じてしまい危険である。このため、蓋体の閉状態を確実に保持すべく、灯具本体及び蓋体の先端に２重にラッチ装置を設け、これらラッチ装置により蓋体を２重にロック可能に構成された照明装置がある（例えば、特許文献１参照）。
【特許文献１】特開２００４−３４２４６９号公報
【発明の開示】
【発明が解決しようとする課題】
【０００３】
しかしながら、上述した従来の照明器具では、２重にラッチ装置を設けることにより蓋体の閉状態を強固に保持できるものの、ラッチ装置ごとに一対のラッチ受け及びラッチ部材を設ける必要があるため、ラッチ装置を構成する部材が複雑化すると共に、部材の製造が困難化し、製造にかかるコストの増大を招いていた。
本発明は、上述した事情に鑑みてなされたものであり、部材の製造を容易化し、製造コストの削減を図った照明器具を提供することを目的とする。
【課題を解決するための手段】
【０００４】
上記目的を達成するために、本発明は、支柱の上端部に固定される灯具本体に支軸を中心に先端側が上に開くように取り付けられた蓋体を備え、この蓋体の先端に設けたラッチ部材を、前記灯具本体の先端に設けたラッチ受けに掛止して前記蓋体の閉状態を保持可能とした照明装置において、前記ラッチ部材の内側に下向きに延びた掛止片を固定し、前記蓋体の閉動作時には、該蓋体の閉動作と同時に、この掛止片が上から下に移動して前記ラッチ受けの一部に自動的に仮掛止し、前記ラッチ部材は、上から下に回動させて当該ラッチ受けに掛止可能としたことを特徴とする。
【０００５】
また、上記発明の照明器具において、前記掛止片は、前記ラッチ受けが貫通する開口と、該掛止片の下端縁から先端方向の斜め下方へ向かって延設された案内片を有し、前記蓋体が開状態から閉状態へと回動すると、該回動に応じて前記案内片が前記ラッチ受けを前記開口へ案内し、該開口に前記掛止片が自動的に仮掛止し、前記ラッチ部材は前記開口を貫通した前記ラッチ受けに掛止可能としてもよい。
また、上記発明の照明器具において、前記掛止片は、前記ラッチ受けの略中央部に自動的に仮掛止し、この略中央部を避けた前記ラッチ受けの両側に前記ラッチ部材を掛止可能としてもよい。
【０００６】
また、上記発明の照明器具において、前記ラッチ受けの平板部に掛止用開口を有し、前記掛止片は、前記蓋体が開状態から閉状態へと回動すると、該回動に応じ前記掛止用開口に進入し、傾斜部が前記掛止用開口の内周に当接して、該開口内に自動的に仮掛止する掛止部材で構成されていてもよい。
また、上記発明の照明器具において、前記ラッチ受けと前記ラッチ部材との掛止状態を解く方向に前記ラッチ部材を付勢する付勢手段を前記蓋体に設けてもよい。
【発明の効果】
【０００７】
本発明によれば、灯具本体の先端にラッチ受けを設け、蓋体の先端にこのラッチ受けに掛止するラッチ部材を設けると共に、蓋体の先端に掛止片を設け、この掛止片をラッチ受けに仮掛止すると共に、ラッチ部材をラッチ受けに掛止することにより、２重にラッチを行う。このように、掛止片がラッチ受けに仮掛止するため、灯具本体に、掛止片が掛止するための専用の部材を設けたり、また、蓋体の本体を特別に加工したりする必要がなく、部材の製造が容易になり、製造コストの削減を図ることができる。
また、本発明では、ラッチ受けに仮掛止する掛止片が蓋体に設けられている。これにより、例えば照明器具のメンテナンスの際に蓋体を開状態とする場合、作業者等は、灯具本体のラッチ受けと蓋体のラッチ部材との本掛止を解除した後、ラッチ受けと掛止片との仮掛止を解除すべく、掛止片をつまんで、掛止片の仮掛止を解除し、掛止片をつまんだ状態で、そのまま蓋体を上方へ回動し、蓋体を開状態とすることができるため、上記仮掛止の解除と蓋体の上方への回動とを、片手で、連続的に行うことができる。このため、蓋体を開状態にするための作業が容易になり、作業に係る時間を短縮することができる。特に、道路脇等に連続して多数の支柱が設けられ、これら支柱のそれぞれに照明器具が設けられている場合において、これら照明器具の定期メンテナンスを一斉に行う際は、照明器具のメンテナンスにかかる時間の大幅な短縮を図ることができる。
【発明を実施するための最良の形態】
【０００８】
以下、図面を参照して本発明の実施形態について説明する。
＜第１実施形態＞
図１は本実施形態に係る照明器具２の外観構成を示す斜視図であり、図２は照明器具２の内部構成を示す斜視図である。この図２においては、照明器具２を開いた状態を示している。
照明器具２は、図１に示すように、道路脇に設けられた支柱３の上端部３Ａに固定される灯具本体４と、この灯具本体４の上側に設けられた蓋体１とを有し、これら灯具本体４及び蓋体１によって灯体２Ａが構成されている。また、灯体２Ａは、灯具本体４の基端部４Ａが支柱３に固定されることで、灯具本体４の先端部４Ｂが道路の路面に張り出すように設置される。
【０００９】
照明器具２は、図２に示すように、灯体２Ａに収容された光源たるランプ５と、このランプ５の放射光を反射する反射鏡２７とをさらに有している。また、灯具本体４の下面には、例えば強化ガラス等で形成された透光板１６が嵌め込まれる投光開口１５が形成されており、ランプ５から放射された光、及び、反射鏡２７によって反射された光が投光開口１５から透光板１６を透過して路面に照射され、これにより、道路照明が行われる。
【００１０】
図２に示すように、灯具本体４の基端部４Ａには、支軸たる２つのヒンジ２０，２０が配設され、これらのヒンジ２０，２０を介して蓋体１が灯具本体４に上方向に回動して開蓋可能に軸支されている。したがって、蓋体１は、その先端部４Ｂがヒンジ２０，２０を中心に灯具本体に対し上方向に開く構成となっている。このように、蓋体１を灯具本体４に対して上方向に回動して開蓋する構成とすることで、ヒンジ２０，２０が外れたり破損したりしたとしても、蓋体１が即落下或いは垂れ下がりに繋がることが無いようになされている。
また、ランプ交換や保守点検等の作業を行う際には、蓋体１を上方に開蓋して作業が行われるが、蓋体１を開いた状態で作業する際に、蓋体１が邪魔にならないように、この蓋体１を灯具本体４に対して所定の角度で開いた状態で保持するストッパ（図示せず）が灯具本体４には設けられている。
【００１１】
灯具本体４の内部には本体内部壁６が設けられ、この本体内部壁６によって基端部４Ａ側の部品収納部７と、先端部４Ｂ側のランプ収納部９とに仕切られている。
部品収納部７には、支柱３に対する固設手段としての支柱固定部１０と、この支柱固定部１０に隣接して配置された端子台１３とが収められ、また、ランプ収納部９には、ソケット取付台１４Ａと、このソケット取付台１４Ａに取り付けられ、上記端子台１３に電気配線接続されたソケット１４と、このソケット１４に装着されたランプ５とが収められており、このランプ収納部９の下面に、上述した投光開口１５が形成されている。
【００１２】
上記支柱固定部１０は、灯具本体４の下側から挿入された支柱３の上端部を受ける支柱受け部１１と、支柱受け部１１と支柱３の上端部とを固定する固定用ボルト１２とを有し、この固定用ボルト１２が、支柱３の上端部に穿設された図示せぬボルト孔にねじ込まれることで、支柱３に対し灯具本体４が固定され、この固定によって、支柱３から灯具本体４が抜けることが防止されると共に、支柱３を軸としての灯具本体４の回転止めが行われる。
【００１３】
ランプ５は、長軸を有する柱状のものが用いられ、ランプ収納部９において基端部４Ａ側から先端部４Ｂ側（支柱３から道路側）にかけて延びる姿勢でソケット１４に取り付けられており、照明器具２を中心として道路の交通方向に沿って略対称な配光が実現可能になされている。このランプ５としては、例えば水銀ランプや、高圧ナトリウムランプ等が用いられている。特に、高圧ナトリウムランプを用いることで、水銀ランプと比較して、省電力化を実現でき、ランニングコストの削減、及び、資源の有効活用が図られる。
【００１４】
蓋体１の内部には蓋体内部壁２１が設けられ、この蓋体内部壁２１により、灯具本体４の部品収納部７及びランプ収納部９と対応して、その内部が、基端部４Ａ側の部品収納部覆い部２２と、先端部４Ｂ側の反射鏡収納部２４とに仕切られている。
部品収納部覆い部２２は、灯具本体４の部品収納部７を覆うカバー部材として機能し、反射鏡収納部２４には、上記反射鏡２７が収められている。
部品収納覆い部２２においては、蓋体１を閉状態としたときに、部品収納部７の両側の上縁部２９が、この部品収納部覆い部２２の内側に密接状態で入り込むことで、部品収納部７への風雨や異物の浸入防止が図られている。
また、反射鏡収納部２４には縁部に沿ってパッキン２４Ａが設けられており、蓋体１を閉状態としたときには、反射鏡収納部２４とランプ収納部９との接触部分がパッキン２４Ａによりシールされ、風雨や異物の浸入防止が図られている。
【００１５】
上記反射鏡２７は、ランプ５の放射光に対して高反射率を有する材料（例えばアルミニウム）を、略ドーム状に形成してなり、その内面には、実現すべき配光に応じた凹凸が形成されている。
この反射鏡２７は、蓋体１を閉じた状態において、灯具本体４側に位置し、この灯具本体４に収容されたランプ５の周囲を上側から覆う程度の寸法を有して形成されており、その基端部４Ａ側には、灯具本体４に配設されたソケット１４を避けるためのＵ字状の反射鏡切り欠き部２８が形成されている。
さらに、反射鏡２７は、蓋体１を閉じたときに、縁部２７Ａが灯具本体４の下面に近接するように構成されており、反射鏡２７と灯具本体４との隙間からの漏れ光を抑制し、ランプ５の放射光のほとんどを灯具本体４の下面に形成した投光開口１５から取り出し可能になされている。
【００１６】
また、蓋体１を閉状態としたときには、灯具本体４の内部を仕切る本体内部壁６と、蓋体１の内部を仕切る蓋体内部壁２１とが当接し、これら本体内部壁６及び蓋体内部壁２１によって、灯具本体４のランプ収納部９と部品収納部７とが完全に分離される。このように、ランプ収納部９と部品収納部７とを分離することで、例えば支柱３と支柱固定部１０との隙間等から部品収納部７に入り込んだ煤煙等がランプ収納部９に入り込むことを防止し、上記透光板１６や反射鏡２７の汚染による効率の低下が防止される。
【００１７】
本実施形態では、蓋体１の閉状態を確実に保持すべく、照明器具２の灯体２Ａの先端部４Ｂには、蓋体１を強固にロックするロック機構が設けられている。
このロック機構は、ラッチによって蓋体１を仮ロックする内側ラッチ装置５３と、この内側ラッチ装置５３を覆うように設けられ、ラッチによって蓋体１をロックし、蓋体１の閉状態を保持する外側ラッチ装置５４とを有しており、これら内側ラッチ装置５３と外側ラッチ装置５４とによって、蓋体１を確実にロックする構成となっている。以下、このロック機構について詳述する。
【００１８】
図３及び図４は、照明器具２の先端部４Ｂに設けられた上記内側ラッチ装置５３及び外側ラッチ装置５４の構成を示す斜視図であり、図３は、内側ラッチ装置５３及び外側ラッチ装置５４のラッチが共に解かれた状態を示し、図４は、内側ラッチ装置５３のみがラッチされた状態を示している。
【００１９】
まず、内側ラッチ装置５３について説明する。
内側ラッチ装置５３は、蓋体１を仮ロックするための装置であり、蓋体１を開状態（図２）から閉状態（図１）へと回動する（以下、この動作を「閉動作」という）と、自動的に蓋体１を仮ロックする構成となっている。
この内側ラッチ装置５３は、図３及び図４に示すように、灯具本体４の先端に設けられたラッチ受け３０と、蓋体１の先端において後述するラッチ部材３１の内側に設けられ、閉動作の際このラッチ受け３０に自動的に仮掛止する掛止片３２と、を有している。
【００２０】
図３及び図４に示すように、本体先端部外周壁８のうち、先端方向に形成された壁は、内側壁３３と、外側壁３４との２つの壁を備えており、このうち外側壁３４には、下方に切り欠いて形成された先端切り欠き部３５が形成されており、内側壁３３において先端切り欠き部３５に対応する箇所に、ラッチ受け取付台８５，８５が突出した形状で形成され、このラッチ受け取付台８５，８５に、ボルト８６，８６を介して、ラッチ受け３０が設けられている。このラッチ受け３０は、掛止片３２及びラッチ部材３１が掛止するための部材であり、図３に示すように、ボルト８６，８６によって灯具本体４に固定され、先端方向へ突出したラッチ受け固定部３６と、このラッチ受け固定部３６から先端方向斜め下方へ延出して形成され、後述する外側ラッチ操作においてラッチ部材３１のラッチ部材爪部３７が掛止するラッチ受け掛止部３８と、を有している。
【００２１】
一方、蓋体１の先端部には、図３及び図４に示すように、基端方向へ向かって凹んだ凹部４０が形成され、この凹部４０に下向きに延びた状態で掛止片３２が設けられている。この掛止片３２は、閉動作によって上記ラッチ受け３０に仮掛止する部材であり、弾力性を有する板状の材料にて形成されている。この掛止片３２は、図３及び図４に示すように、上部において２本のボルト８７，８７によって蓋体１に固定されており、この固定された箇所の下方には、閉動作の際、ラッチ受け３０が貫通した状態で嵌合する開口４１が形成されている。また、掛止片３２の下端縁には、この下端縁から先端方向の斜め下方へ向かって延設され、上記閉動作の際に、上記ラッチ受け３０を開口４１へ案内する案内片４２が形成されている。
【００２２】
次いで、内側ラッチ装置５３の動作について説明する。
照明器具２のメンテナンスやランプ５の交換終了後、開状態（図２）の蓋体１を閉状態（図１）とすべく、ヒンジ２０，２０を基点に蓋体１を下方へ向かって回動すると、ある地点で、掛止片３２の案内片４２の下端が、ラッチ受け３０に当接する。蓋体１がさらに回動すると、掛止片３２は、案内片４２の傾斜に沿ってラッチ受け３０に接触しつつ摺動し、前方へ撓んだ状態に弾性変形する。さらに回動が進むと、ラッチ受け３０は、案内片４２によって開口４１へと案内され、この開口４１に貫通した状態で嵌合すると共に、掛止片３２が弾性力により元の形状へ変形し、掛止片３２がラッチ受け３０に弾発的に掛止する。
上記掛止片３２が、上記ラッチ受け３０に掛止した後は、図４に示すように、ラッチ受け３０の先端部が、開口４１から先端方向へ突出した状態となる。
このように、本実施形態では、蓋体１を開状態から閉状態へと回動する（閉動作）際、蓋体１の回動に応じて、掛止片３２が上方から下方に移動して、ラッチ受け３０の一部に自動的に仮掛止する構成となっている。このため、内側ラッチ装置５３による仮掛止を簡単かつ確実に行うことができる。
【００２３】
次いで、外側ラッチ装置５４について説明する。
図５及び図６は、共に、照明器具２の先端部の断面図であり、図５は、後述する外側ラッチ操作前の状態を示し、図６は、外側ラッチ操作後の状態を示している。
外側ラッチ装置５４は、図５及び図６に示すように、上記ラッチ受け３０と、蓋体１に設けられ、外側ラッチ操作によってこのラッチ受け３０に掛止するラッチ部材３１と、を有しており、上述した内側ラッチ装置５３によるラッチ後、蓋体１に設けたラッチ部材３１を、上方から下方へ回動させて、上記開口４１を貫通したラッチ受けに掛止する（外側ラッチ操作）ことにより、蓋体１の閉状態を保持する構成となっている。
なお、以下の説明において、ラッチ部材３１がラッチ受け３０に掛止している状態をロック状態（図６）といい、また、ラッチ部材３１がラッチ受け３０に掛止していない状態を、アンロック状態（図５）という。
【００２４】
図５及び図６に示すように、蓋体１の凹部４０には、リング取付部４３が設けられており、このリング取付部４３には、水平方向に延出した溝部４６（図３も併せて参照）が形成され、この溝部４６には、ラッチ部材３１を揺動可能に支持する略矩形環状のリング４４の一辺４５が、溝部４６の先端方向の開口から嵌め込まれている。この溝部４６にリング４４の一辺４５が嵌め込まれた後、図３、図５及び図６に示すように、上記掛止片３２が溝部４６の開口を覆った状態で、リング取付部４３にねじ止めによって固定されている。この掛止片３２により、溝部４６の開口が塞がれ、溝部４６におけるリング４４の一辺４５の先端方向への動きが規制される。このように、本実施形態では、リング４４を嵌めこむ溝部４６の開口を、掛止片３２によって塞いでいるため、溝部４６の開口を塞ぐための専用の部材を設ける必要がなく、コストの削減が図られている。
【００２５】
一方、図３及び図４に示すように、リング４４の一辺４５と対向する他辺４７には、ラッチ部材３１が回動可能に軸支されている。このラッチ部材３１は、外側ラッチ操作において、上記ラッチ受け３０に掛止し、蓋体１の閉状態を保持するための部材であり、後述する外側ラッチ操作の際、上述したラッチ受け３０のラッチ受け掛止部３８に引っ掛かるようにして掛止するラッチ部材爪部３７を有している。
また、リング４４の一辺４５の両端と、他辺４７の両端とを接続する両側辺４８，４８には、この両側辺４８，４８に掛け渡された状態で板ばね４９（付勢手段）が固定されている。この板ばね４９は、外側ラッチ操作においてラッチ部材３１とラッチ受け３０との掛止を確実なものとすべく設けられた部材であり（これについては、後述。）、図３及び図４に示すように、両側辺４８，４８に対応した貫通孔５０，５０が形成され、この貫通孔５０，５０に両側辺４８，４８が貫通された状態で、両側辺４８，４８に固着される板ばね固定部５１と、この板ばね固定部５１から先端方向へ向かって折り曲がって延設された付勢部５２と、を有している。
【００２６】
外側ラッチ操作は、以下の手順にて行われる。すなわち、上述した内側ラッチ装置５３によるラッチ完了後、ラッチ部材３１を、リング４４の一辺４５及び他辺４７を基点として上方から下方へと回動して、ラッチ部材３１のラッチ部材爪部３７を、掛止片３２の開口４１から先端方向へ突出したラッチ受け３０の先端に形成されたラッチ受け掛止部３８に、引っ掛けるようにして係止した後、ラッチ部材３１の上部を基端方向へ付勢して、ラッチ部材３１とラッチ受け３０との係止状態を弾発的に保持する。これにより、ラッチ部材３１をロック状態（図６）とし、外側ラッチ操作が完了する。
【００２７】
ここで、外側ラッチ操作に際し、アンロック状態（図５）のラッチ部材３１が、リング４４の他辺４７を基点としてロック状態の方向（図５に示す破線矢印Ｙ１の方向）へ回動すると、ラッチ部材３１は、ある地点で、板ばね４９の付勢部５２におけるラッチ部材３１と対向する面に当接し、それ以後は、板ばね４２の弾性力により発生する付勢部５２の付勢に抗しつつ回動する。さらに回動がすすみ、ロック状態に至ると（図６）、ラッチ部材３１は、絶えず、板ばね４９の付勢部５２の弾性力によって、図６の破線矢印Ｙ２に示す方向に付勢された状態となる。このときの付勢部５２の付勢の方向（破線矢印Ｙ２）は、ラッチ部材３１をアンロック状態へと変位させるような方向である。このような構成のため、ラッチ部材３１のラッチ部材爪部３７と、ラッチ受け３０のラッチ受け掛止部３８とが正常に掛止していない場合や、ラッチ受け掛止部３８をラッチ受け３０に掛止した後において、ラッチ部材３１の上部が基端方向へ付勢されておらず、ラッチ部材３１とラッチ受け３０との掛止状態が正常に保持されていない場合等には、ラッチ部材３１は、板ばね４９の付勢部５２に付勢されて、アンロック状態の方向（図６の矢印Ｙ２の方向）へ回動，変位し、ラッチ部材３１がロック状態に至っていないことが見た目に明らかとなる。このため、例えば、照明器具２のメンテナンスを行う作業者等は、ラッチ部材３１がロック状態に至っていないことを容易に認識することができ、この認識に基づいて確実にラッチ部材３１をロック状態へ至らしめることができ、安全性の向上を図ることができる。
【００２８】
以上説明したように、本実施の形態によれば、内側ラッチ装置５３において、掛止片３２の開口４１をラッチ受け３０に嵌合することにより、掛止片３２をラッチ受け３０に掛止している。このため、灯具本体４に掛止片３２を掛止するための特別な部材を設けたり、灯具本体４を掛止片３２の掛止のため特別な形状に加工したりする必要がない。このため、照明器具２に係る部材の形状の単純化、及び、照明器具２の製造の容易化を図ることができ、ひいては、製造にかかるコストの削減を図ることができる。
【００２９】
また、本実施の形態によれば、閉動作時において、案内片４２がラッチ受け３０を開口４１へ案内するため、蓋体１を開状態から閉状態へと回動するだけで、掛止片３２をラッチ受け３０に仮掛止することができる。
また、本実施の形態によれば、外側ラッチ操作において、ラッチ部材３１のラッチ部材爪部３７と、ラッチ受け３０のラッチ受け掛止部３８とが正常に掛止していない場合や、ラッチ受け掛止部３８をラッチ受け３０に掛止した後において、ラッチ部材３１の上部が基端方向へ付勢されておらず、ラッチ部材３１とラッチ受け３０との掛止状態が正常に保持されていない場合等には、ラッチ部材３１は、板ばね４９の付勢部５２に付勢されて、アンロック状態の方向（図６の破線矢印Ｙ２の方向）へ回動，変位し、ラッチ部材３１がロック状態に至っていないことが見た目に明らかとなる。このため、例えば、照明器具２のメンテナンスを行う作業者等は、ラッチ部材３１がロック状態に至っていないことを容易に認識することができ、この認識に基づいて確実にラッチ部材３１をロック状態へ至らしめることができ、安全性の向上を図ることができる。
【００３０】
また、本実施の形態では、ラッチ受け３０に仮掛止する掛止片３２が蓋体１に設けられている。このため、例えば照明器具２のメンテナンスの際に蓋体１を開状態とする場合、作業者等は、灯具本体４のラッチ受け３０と蓋体１のラッチ部材３１との掛止を解除した後、ラッチ受け３０と掛止片３２との仮掛止を解除すべく、例えば右手で掛止片３２の下端をつまんで、掛止片３２の下端を先端方向へ向かって撓ませ、ラッチ受け３０と開口４１との掛止状態を解除すると同時に、掛止片３２の下端をつまんだ状態の右手によって蓋体１を上方へ回動し、蓋体１を開状態とすることができる。このように、本実施形態によれば、ラッチ受け３０と掛止片３２との仮掛止の解除と蓋体１の上方への回動とを、片手で、連続的に行うことができるため、蓋体１を開状態にするための作業が容易になり、作業に係る時間を短縮することができる。特に、道路脇等に連続して多数の支柱３が設けられ、これら支柱３のそれぞれに照明器具２が設けられている場合において、これら照明器具２の定期メンテナンスを一斉に行う際は、照明器具２のメンテナンスにかかる時間の大幅な短縮を図ることができる。
【００３１】
＜第２実施形態＞
本実施形態に係る照明器具６０は、第１実施形態と同様、ラッチによって蓋体１を仮ロックする内側ラッチ装置５５と、この内側ラッチ装置５５を覆うように設けられ、ラッチによって蓋体１をロックし、蓋体１の閉状態を保持する外側ラッチ装置５６とを有しているが、これら内側ラッチ装置５５及び外側ラッチ装置５６に係る部材の形状、及び、閉状態を保持する構造が第１実施形態と異なっている。なお、本実施形態の説明において、第１実施形態に係る構成要素と同じものについては同一の符号を付し、その説明を省略する。
【００３２】
図７及び図８は、照明器具２の先端部４Ｂに設けられた上記内側ラッチ装置５５及び外側ラッチ装置５６の構成を示す斜視図であり、図７は、内側ラッチ装置５５及び外側ラッチ装置５６のラッチが共に解かれた状態を示し、図４は、内側ラッチ装置５５のみがラッチされた状態を示している。
【００３３】
まず、内側ラッチ装置５５について説明する。
内側ラッチ装置５５は、蓋体１を仮ロックするための装置であり、上記閉動作により、自動的に蓋体１を仮ロックする構成となっている。
この内側ラッチ装置５５は、図７及び図８に示すように、灯具本体４の先端に設けられたラッチ受け６１と、蓋体１の先端において後述するラッチ部材６２の内側に設けられ、閉動作の際にこのラッチ受け６１に自動的に仮掛止する掛止片６３と、を有している。
【００３４】
図７及び図８に示すように、内側壁３３において先端切り欠き部３５に対応する箇所に、ラッチ受け取付台８５，８５が突出した状態で形成され、このラッチ受け取付台８５，８５に、ボルト８６，８６を介して、ラッチ受け６１が設けられている。
このラッチ受け６１は、後述する掛止片６３及びラッチ部材６２が掛止するための部材であり、図７及び図８に示すように、ボルト８６，８６によって灯具本体４に固定され、先端方向へ突出したラッチ受け固定部６４と、このラッチ受け固定部６４から先端方向斜め下方へ延出して形成され、後述する外側ラッチ操作においてラッチ部材６２のラッチ部材爪部６５が掛止するラッチ受け掛止部６６と、を有している。なお、このラッチ受け掛止部６６は、後述する掛止爪６７を、ラッチ受け６１へと案内する機能も有している。
【００３５】
一方、蓋体１の先端部には、図３及び図４に示すように、基端方向へ向かって凹んだ凹部４０が形成され、この凹部４０には、下向きに延びた状態で掛止片６３が設けられている。この掛止片６３は、閉動作によって上記ラッチ受け６１に仮掛止する部材であり、弾力性を有する板状の材料にて形成されている。この掛止片６３は、２本のボルト８７，８７によって蓋体１に固定されている。また、掛止片６３の下端縁には、上記閉動作の際、上記ラッチ受け６１の中央部８８に仮掛止する掛止爪６７が形成されている。
【００３６】
次いで、内側ラッチ装置５５の動作について説明する。
照明器具６０のメンテナンスやランプ５の交換終了後、開状態（図２）の蓋体１を閉状態（図１）とすべく、蓋体１を下方へ向かって回動すると、ある地点で、掛止片６３の掛止爪６７の下端が、ラッチ受け６１の上面に当接する。蓋体１がさらに回動すると、掛止片６３は、ラッチ受け６１に接触しつつ摺動し、上記ラッチ受け掛止部６６の傾斜にしたがって、前方へ撓んだ状態に弾性変形する。さらに回動が進むと、掛止爪６７は、ラッチ受け６１の中央部８８に弾発的に掛止し（図８の状態）、これによりラッチ受け６１に掛止片６３が仮掛止する。
このように、本実施形態では、蓋体１を開状態から閉状態へと回動する（閉動作）際、蓋体１の回動に応じて、掛止片６３が上方から下方に移動して、ラッチ受け６１に自動的に仮掛止する構成となっている。このため、内側ラッチ装置５５による仮掛止を簡単かつ確実に行うことができる。
【００３７】
次いで、外側ラッチ装置５６について説明する。
図９及び図１０は、共に、照明器具６０の先端部の断面図であり、図９は、後述する外側ラッチ操作前の状態を示し、図１０は、外側ラッチ後の状態を示している。
外側ラッチ装置５６は、上記ラッチ受け６１と、蓋体１に設けられ、後述する外側ラッチ操作によってこのラッチ受け６１に掛止するラッチ部材６２と、を有しており、上述した内側ラッチ装置５５によるラッチ後、蓋体１に設けたラッチ部材６２を、上方から下方へ回動させて、上記掛止爪６７が掛止した状態のラッチ受け６１に、ラッチ部材６２を掛止する（外側ラッチ操作）ことにより、蓋体１の閉状態を保持する構成となっている。なお、以下の説明において、ラッチ部材６２がラッチ受け６１に掛止している状態をロック状態（図１０）といい、また、ラッチ部材６２がラッチ受け６１に掛止していない状態を、アンロック状態（図９）という。
【００３８】
図７及び図８に示すように、第１実施形態と同様、凹部４０に設けられたリング取付部４３にリング４４の一辺４５が回動可能に取り付けられ、このリング４４の一辺４５と対向する他辺には、ラッチ部材６２が回動可能に軸支されている。このラッチ部材６２は、外側ラッチ操作において、上記ラッチ受け６１に掛止し、蓋体１の閉状態を保持するための部材であり、外側ラッチ操作の際、上述したラッチ受け６１のラッチ受け掛止部６６に引っ掛かかるようにして掛止するラッチ部材爪部６５を有している。
また、リング４４の一辺４５の両端と、他辺４７の両端とを接続する両側辺４８，４８には、第１実施形態と同様、この両側辺４８，４８に掛け渡された状態で板ばね４９が設けられている。
【００３９】
外側ラッチ操作は、以下の手順にて行われる。すなわち、上述した内側ラッチ装置５５によるラッチ完了後、ラッチ部材６２を、リング４４の一辺４５及び他辺４７を基点として上方から下方へと回動して、ラッチ部材６２のラッチ部材爪部６５を、ラッチ受け掛止部６６に、引っ掛けるようにして掛止する。
その際、ラッチ部材６２のラッチ部材爪部６５は、既にラッチ受け６１の中央部８８に掛止している掛止爪６７を覆った状態で、ラッチ受け掛止部６６に掛止する（図１０）。ここで、ラッチ部材爪部６５の内側には、この掛止爪６７の形状に対応して凹んだ逃げ部（不図示）が形成されており、ラッチ部材爪部６５が掛止爪６７を覆った状態でラッチ受け掛止部６６に掛止した際は、この逃げ部に掛止爪６７が配置される。このため、ラッチ部材６２は、ラッチ受け６１の中央部８８を避け、このラッチ受け６１の両側に掛止することとなる。ラッチ部材６２が、ラッチ受け６１に掛止した後、ラッチ部材６２の上部を基端方向へ付勢して、ラッチ部材６２とラッチ受け６１との係止状態を弾発的に保持し、ラッチ部材６２をロック状態（図６）とする。以上により、外側ラッチ操作が完了する。
【００４０】
ここで、ラッチ部材６２がロック状態に至ると（図１０）、第１実施形態と同様、ラッチ部材６２は、絶えず、板ばね４９の付勢部５２の弾性力によって、図１０の破線矢印Ｙ３に示す方向に付勢された状態となる。このときの付勢部５２の付勢の方向は、ラッチ部材６２をアンロック状態へと変位させるような方向である。このような構成のため、ラッチ部材６２のラッチ部材爪部６５と、ラッチ受け６１のラッチ受け掛止部６６とが正常に掛止していない場合や、ラッチ受け掛止部６６をラッチ受け６１に掛止した後において、ラッチ部材６２の上部が基端方向へ付勢されておらず、ラッチ部材６２とラッチ受け６１との掛止状態が正常に保持されていない場合等には、ラッチ部材６２は、板ばね４９の付勢部５２に付勢されて、アンロック状態の方向（図１０の破線矢印Ｙ３の方向）へ回動，変位し、ラッチ部材６２がロック状態に至っていないことが見た目に明らかとなる。このため、例えば、照明器具６０のメンテナンスを行う作業者等は、ラッチ部材６２がロック状態に至っていないことを容易に認識することができ、この認識に基づいて確実にラッチ部材６２をロック状態へ至らしめることができ、安全性の向上を図ることができる。
【００４１】
以上説明したように、本実施の形態によれば、内側ラッチ装置５５において、掛止片６３をラッチ受け６１に掛止しているため、灯具本体４に掛止片６３を掛止するための特別な部材を設けたり、灯具本体４を掛止片６３の掛止のため特別な形状に加工したりする必要がない。このため、照明器具６０に係る部材の形状の単純化、及び、照明器具６０の製造の容易化を図ることができ、ひいては、製造にかかるコストの削減を図ることができる。
【００４２】
また、本実施の形態によれば、外側ラッチ操作において、ラッチ部材６２のラッチ部材爪部６５と、ラッチ受け６１のラッチ受け掛止部６６とが正常に掛止していない場合や、ラッチ受け掛止部６６をラッチ受け６１に掛止した後において、ラッチ部材６２の上部が基端方向へ付勢されておらず、ラッチ部材６２とラッチ受け６１との掛止状態が正常に保持されていない場合等には、ラッチ部材６２は、板ばね４９の付勢部５２に付勢されて、アンロック状態の方向へ回動，変位し、ラッチ部材６２がロック状態に至っていないことが見た目に明らかとなる。このため、例えば、照明器具６０のメンテナンスを行う作業者等は、ラッチ部材６２がロック状態に至っていないことを容易に認識することができ、この認識に基づいて確実にラッチ部材６２をロック状態へ至らしめることができ、安全性の向上を図ることができる。
【００４３】
また、本実施の形態では、ラッチ受け６１に仮掛止する掛止片６３が蓋体１に設けられている。このため、例えば照明器具２のメンテナンスの際に蓋体１を開状態とする場合、作業者等は、灯具本体４のラッチ受け６１と蓋体１のラッチ部材６２との掛止を解除した後、ラッチ受け６１と掛止片６３との仮掛止を解除すべく、例えば右手で掛止片６３の両端をつまんで、掛止片６３を先端方向へ向かって撓ませ、掛止爪６７とラッチ受け６１と開掛止状態を解除すると同時に、掛止片３２の両端をつまんだ状態の右手によって蓋体１を上方へ回動し、蓋体１を開状態とすることができる。このように、本実施形態によれば、ラッチ受け６１と掛止片６３との仮掛止の解除と蓋体１の上方への回動とを、片手で、連続的に行うことができるため、蓋体１を開状態にするための作業が容易になり、作業に係る時間を短縮することができる。特に、道路脇等に連続して多数の支柱３が設けられ、これら支柱３のそれぞれに照明器具２が設けられ、これら照明器具２の定期メンテナンスを一斉に行う場合等においては、照明器具２のメンテナンスにかかる時間の大幅な短縮を図ることができる。
【００４４】
＜第３実施形態＞
本実施形態に係る照明器具７０は、第１実施形態や第２実施形態と同様、ラッチによって蓋体１を仮ロックする内側ラッチ装置５７と、この内側ラッチ装置５７を覆うように設けられ、ラッチによって蓋体１をロックし、蓋体１の閉状態を保持する外側ラッチ装置５８とを有しているが、これら内側ラッチ装置５７及び外側ラッチ装置５８に係る部材の形状、及び、閉状態を保持する構造が第１実施形態と異なっている。なお、本実施形態の説明において、第１実施形態に係る構成要素と同じものについては同一の符号を付し、その説明を省略する。
【００４５】
図１１及び図１２は、照明器具２の先端部４Ｂに設けられた上記内側ラッチ装置５７及び外側ラッチ装置５８の構成を示す正面図であり、図１１は、内側ラッチ装置５７及び外側ラッチ装置５８のラッチが共に解かれた状態を示し、図１２は、内側ラッチ装置５７のみがラッチされた状態を示している。また、図１３（Ａ）は、内側ラッチ装置５７の斜視図であり、図１３（Ｂ）は、内側ラッチ装置５７の係止部材７２の正面図である。
【００４６】
まず、内側ラッチ装置５７について説明する。
この内側ラッチ装置５７は、蓋体１を仮ロックするための装置であり、図１１及び図１２に示すように、灯具本体４の先端に設けられたラッチ受け７１と、蓋体１の先端において後述するラッチ部材７３の内側に設けられ、閉動作の際にこのラッチ受け７１に自動的に仮掛止する掛止部材７２（掛止片）と、を有している。
【００４７】
上記ラッチ受け７１は、図１１及び図１２に示すように、上述した灯具本体４の内側壁３３に形成されたラッチ受け取付台８５，８５に、ボルト８６，８６を介して取り付けられている。このラッチ受け７１は、後述する掛止部材７２及びラッチ部材７３が掛止するための部材であり、図１３（Ａ）に示すように、ボルト８６，８６を介して灯具本体４に固定される平板部７４を備え、この平板部７４には、後述する掛止部材７２の掛止爪７５Ｌ，７５Ｒが挿入されて掛止するための掛止用開口７６が上下に貫通して形成されている。また、平板部７４の先端には、平板部７４から先端方向斜め下方へ延出して形成され、外側ラッチ操作において後述するラッチ部材７３のラッチ部材爪部７７が掛止するラッチ受け掛止部７８が形成されている。
【００４８】
一方、蓋体１の先端部には、図１１及び図１２に示すように、下向きに延びた状態で掛止部材７２が設けられている。この掛止部材７２は、閉動作によって、上記ラッチ受け７１に自動的に仮掛止するものであり、弾力性を有する部材にて形成されている。
この掛止部材７２は、図１３（Ａ）に示すように、蓋体１に固定される掛止部材固定部７９を備え、この係止部材固定部７９には、係止部材７２を蓋体１に固定するための固定ボルトが貫通する貫通孔７９Ｂが形成されている。
この掛止部材固定部７９の図１３（Ａ）中左部には、つまみ部８０Ｌが、折れ曲がり部９５Ｌを境に左斜め下方へ折り曲がった状態で形成されている。このつまみ部８０Ｌと係止部材固定部７９とは、一体的に形成されている。このつまみ部８０Ｌは、詳細は後述するが、掛止部材７２とラッチ受け７１の仮掛止を解除する際に、図１３（Ａ）中矢印Ｙ４方向へつまむようにして押圧される部位であり、この押圧に応じて、つまみ部８０Ｌは、折れ曲がり部９５Ｌを中心に回動する構成となっている。
つまみ部８０Ｌには、平面視略く字状のフック部８１Ｌが、つまみ部８０Ｌと一体的に設けられている。このフック部８１Ｌは、図１３（Ａ）に示すように、つまみ部８０Ｌの基端部から、図１３（Ａ）の右方向へ向かって延出した後、略直角に屈折した屈折部９７Ｌを経由し、左斜め下方へ向かって延出して形成されている。
フック部８１Ｌの先端には、上記ラッチ受け７１の掛止用開口７６に引っ掛かるように掛止するための掛止爪７５Ｌが形成されている。この掛止爪７５Ｌの下面には、右斜め下方へ向かって傾斜した傾斜部８２Ｌが形成されている。この傾斜部８２Ｌは、掛止部材７２とラッチ受け７１とを掛止する際、このラッチ受け７１の掛止用開口７６に、上記掛止爪７５Ｌを案内する。
【００４９】
同様に、掛止部材固定部７９の図１３（Ａ）中右部には、つまみ部８０Ｒが、折れ曲がり部９５Ｒを境に右斜め下方へ折り曲がった状態で形成されている。このつまみ部８０Ｒと係止部材固定部７９とは、一体的に形成されている。このつまみ部８０Ｒは、詳細は後述するが、掛止部材７２とラッチ受け７１の仮掛止を解除する際に、図１３（Ａ）中矢印Ｙ４方向へつまむようにして押圧される部位であり、この押圧に応じて、つまみ部８０Ｒは、折れ曲がり部９５Ｒを中心に回動する構成となっている。
つまみ部８０Ｒには、平面視略く字状のフック部８１Ｒが、つまみ部８０Ｒと一体的に設けられている。このフック部８１Ｒは、つまみ部８０Ｒの基端部から、図１３の左方向へ向かって延出した後、略直角に屈折した屈折部９７Ｒを経由し、右斜め下方へ向かって延出して形成されている。
フック部８１Ｒの先端には、上記ラッチ受け７１の掛止用開口７６に引っ掛かるように掛止するための掛止爪７５Ｒが形成されている。この掛止爪７５Ｒの下面には、左斜め下方へ向かって傾斜した傾斜部８２Ｒが形成されている。この傾斜部８２Ｒは、掛止部材７２とラッチ受け７１とを掛止する際、このラッチ受け７１の掛止用開口７６に上記掛止爪７５Ｒを案内する。
【００５０】
上述したように、フック部８１Ｌ，８１Ｒは、上記つまみ部８０Ｌ，８０Ｒと一体的に形成されているため、これらつまみ部８０Ｌ，８０Ｒと連動して動く構成となっている。具体的には、図１３（Ａ）の破線矢印Ｙ４に示すように、つまみ部８０Ｌ，８０Ｒを左右から、中心方向へ向かって挟むように押圧すると、この押圧に応じて、つまみ部８０Ｌ，８０Ｒは、折れ曲がり部９５Ｌ，９５Ｒを中心に、内側へ向かって回動する。この回動に応じて、つまみ部８０Ｌ，８０Ｒと一体的に形成されたフック部８１Ｌ，８１Ｒが、図１３（Ａ）の破線矢印Ｙ５に示すように回動、変位する構成となっている。
ここで、このフック部８１Ｒの基端部には、図１３（Ａ）に示すように、図１３の左方向へ向かって突出して形成された規制部８３が形成されている。この規制部８３は、上記つまみ部８０Ｌ，８０Ｒの押圧に伴うフック部８１Ｌ，８１Ｒの回動を規制するためのものであり、図１３（Ｂ）に示すように、つまみ部８０Ｌ，８０Ｒが破線矢印Ｙ６方向に押圧され、この押圧に伴いフック部８１Ｌ，８１Ｒが破線矢印Ｙ７方向へ回動すると、所定の地点で、規制部８３がつまみ部８０Ｌに当接し、これによりフック部８１Ｌ，８１Ｒの回動が規制され、それ以上破線矢印Ｙ７方向へ回動しない構成となっている。この構成のため、フック部８１Ｌ、８１Ｒが過度に回動することが防止され、折れ曲がり部９５Ｌ，９５Ｒにかかる負担が軽減され、これにより、折れ曲がり部９５Ｌ，９５Ｒにおける金属疲労を抑制することができる。
また、掛止部材７２は、金属等の弾力性を有する部材にて形成されているため、つまみ部８０Ｌ，８０Ｒへの押圧を中止すると、弾性力によって図１３（Ａ）示す自由状態における掛止部材７２の形状に戻る。
【００５１】
上記構成の掛止部材７２とラッチ受け７１とは、以下のようにして仮ロックされる。すなわち、照明器具７０のメンテナンスやランプ５の交換終了後、開状態の蓋体１を閉状態とすべく、蓋体１を下方へ向かって回動すると、ある地点で、掛止部材７２の掛止爪７５Ｌ，７５Ｒがラッチ受け７１の掛止用開口７６へ入り込み、傾斜部８２Ｌ，８２Ｒが、ラッチ受け７１の掛止用開口７６の内周に当接する。
蓋体１がさらに回動すると、掛止部材７２の傾斜部８２Ｌ，８２Ｒは、ラッチ受け７１の掛止用開口７６の内周に接触しつつ摺動し、これに伴い、フック部８１Ｌ，８１Ｒは、折れ曲がり部９５Ｌ，９５Ｒを中心に内側へむかって弾性変形する。蓋体１の回動がさらに進み、掛止爪７５Ｌ，７５Ｒが、ラッチ受け７１の掛止用開口７６を通過すると、弾性力によって、掛止部材７２のフック部８１Ｌ，８１Ｒが開き、掛止用開口７６に掛止爪７５Ｌ，７５Ｒが弾発的に掛止し、これにより掛止部材７２がラッチ受け７１に仮掛止する。
このように、本実施形態では、蓋体１を開状態から閉状態へと回動する（閉動作）際、蓋体１の回動に応じて掛止部材７２が上方から下方に移動して、ラッチ受け７１に自動的に仮掛止する構成となっている。このため、内側ラッチ装置５７による仮掛止を簡単かつ確実に行うことができる。
また、本実施形態では、ラッチ受け７１の掛止用開口７６に、２つの掛止爪７５Ｌ，７５Ｒが掛止する構成となっている。このように２つの掛止爪７５Ｌ，７５Ｒが掛止用開口７２に２重に掛止する構成のため、例えば１つの掛止爪が掛止用開口７２掛止する構成のものと比較し、掛止部材７２をより強固にラッチ受け７１に掛止することができると共に、何らかの理由で片方の掛止爪７５Ｌと掛止用開口７６との掛止が緩んだ場合においても、他の掛止爪７５Ｒと掛止用開口７６との掛止状態は保持されるため、より確実に掛止部材７２をラッチ受け７１に掛止することができる。
【００５２】
また、ラッチ受け７１と掛止部材７２との掛止状態の解除は、以下の手順によって行われる。すなわち、ラッチ受け７１に掛止した状態の掛止部材７２のつまみ部８０Ｌ，８０Ｒを、側方からつまむようにして押圧する。このとき、上記規制部８３によってフック部８１Ｌ，８１Ｒの回動が規制されるまで、つまみ部８０Ｌ，８０Ｒを押圧する。これにより、つまみ部８０Ｌ，８０Ｒが、折れ曲がり部９５Ｌ，９５Ｒを中心に内側へ向かって回動し、これに応じてフック部８１Ｌ，８１Ｒが回動し、掛止爪７５Ｌ，７５Ｒが重なりあい、これら掛止爪７５Ｌ，７５Ｒがラッチ部材７３の掛止用開口７６を挿通可能な状態になる（図１３（Ｂ））。その後、蓋体１を上方向へ回動することにより、掛止用開口７６から、掛止爪７５Ｌ，７５Ｒを引き抜き、ラッチ受け７１と掛止部材７２との掛止状態の解除を行う。
このように、本実施形態では、掛止部材７２のつまみ部８０Ｌ，８０Ｒを押圧しつつ、掛止部材７２を掛止用開口７６から引き抜く、という簡単な作業で、上記掛止状態の解除を容易に行うことができる。さらに、本実施形態では、規制部８３によってフック部８１Ｌ，８１Ｒの回動が規制されるまで、つまみ部８０Ｌ，８０Ｒを押圧すれば、掛止爪７５Ｌ，７５Ｒは、掛止用開口７６を挿通可能な状態となるため、つまみ部８０Ｌ，８０Ｒを押圧する力を調整する必要がなく、ラッチ受け７１と掛止部材７２との掛止状態の解除を容易に行うことができる。
【００５３】
次いで、外側ラッチ装置５８について説明する。
図１４及び図１５は、共に、照明器具７０の先端部の断面図であり、図１４は、後述する外側ラッチ操作前の状態を示し、図１５は、外側ラッチ操作後の状態を示している。
外側ラッチ装置５８は、上記ラッチ受け７１と、蓋体１に設けられ、外側ラッチ操作によってこのラッチ受け７１に掛止するラッチ部材７３と、を有しており、上述した内側ラッチ装置５７によるラッチ後、掛止部材７２が掛止した状態のラッチ受け７１に、ラッチ部材７３を掛止する（外側ラッチ操作）ことにより、蓋体１の閉状態を保持する構成となっている。なお、以下の説明において、ラッチ部材７３がラッチ受け７１に掛止している状態をロック状態（図１５）といい、また、ラッチ部材７３がラッチ受け７１に掛止していない状態を、アンロック状態（図１４）という。
【００５４】
図１１及び図１２に示すように、第１実施形態と同様、蓋体１の凹部４０に設けられたリング取付部４３にリング４４の一辺４５が回動可能に取り付けられ、このリング４４の一辺４５と対向する他辺４７には、ラッチ部材７３が回動可能に軸支されている。このラッチ部材７３は、外側ラッチ操作において、上記ラッチ受け７１に掛止し、蓋体１の閉状態を保持するための部材であり、外側ラッチ操作の際、上述したラッチ受け７１のラッチ受け掛止部７８に引っ掛かかるようにして掛止するラッチ部材爪部７７を有している。
また、リング４４の一辺４５の両端と、他辺４７の両端とを接続する両側辺４８，４８には、第１実施形態と同様、この両側辺４８，４８に掛け渡された状態で板ばね４９が設けられている。
【００５５】
外側ラッチ操作は、以下の手順にて行われる。すなわち、上述した内側ラッチ装置５７によるラッチ完了後、ラッチ部材７３を、リング４４の一辺４５及び他辺４７を基点として上方から下方へと回動して、ラッチ部材７３のラッチ部材爪部７７を、ラッチ受け掛止部７８に、引っ掛けるようにして掛止し、これにより、ラッチ部材７３をラッチ受け７１に掛止する。ラッチ部材７３が、ラッチ受け７１に掛止した後、ラッチ部材６２の上部を基端方向へ付勢して、ラッチ部材７３とラッチ受け７１との係止状態を弾発的に保持する。これにより、ラッチ部材７３をロック状態（図１５）とし、外側ラッチ操作が完了する。
ここで、ラッチ部材７３がロック状態に至ると（図１５）、第１実施形態と同様、ラッチ部材７３は、絶えず、板ばね４９の付勢部５２の弾性力によって、図１５の矢印Ｙ６に示す方向に付勢された状態となる。このときの付勢部５２の付勢の方向は、ラッチ部材７３をアンロック状態へと変位させるような方向である。このような構成のため、ラッチ部材７３のラッチ部材爪部７７と、ラッチ受け７１のラッチ受け掛止部７８とが正常に掛止していない場合や、ラッチ受け掛止部７８をラッチ受け７１に掛止した後において、ラッチ部材７３の上部が基端方向へ付勢されておらず、ラッチ部材７３とラッチ受け７１との掛止状態が正常に保持されていない場合等には、ラッチ部材７３は、板ばね４９の付勢部５２に付勢されて、アンロック状態の方向（図１５の破線矢印Ｙ６の方向）へ回動，変位し、ラッチ部材７３がロック状態に至っていないことが見た目に明らかとなる。このため、例えば、照明器具７０のメンテナンスを行う作業者等は、ラッチ部材７３がロック状態に至っていないことを容易に認識することができ、この認識に基づいて確実にラッチ部材７３をロック状態へ至らしめることができ、安全性の向上を図ることができる。
【００５６】
以上説明したように、本実施の形態によれば、内側ラッチ装置５７において、ラッチ受け７１の掛止用開口７６に、掛止部材７２の掛止爪７５Ｌ，７５Ｒを掛止することにより、掛止部材７２をラッチ受け７１に掛止しているため、灯具本体４に掛止部材７２を掛止するための特別な部材を設けたり、灯具本体４を掛止片６３の掛止のため特別な形状に加工したりする必要がない。このため、照明器具７０に係る部材の形状の単純化、及び、照明器具７０の製造の容易化を図ることができ、ひいては、製造にかかるコストの削減を図ることができる。
【００５７】
また、本実施の形態において、掛止部材７２は、上述したように、蓋体１に固定される係止部材固定部７９と、この掛止部材固定部７９の左右端において折れ曲がり部９５Ｌ，９５Ｒを境に折れ曲がって延設されたつまみ部８０Ｌ，８０Ｒと、これらつまみ部８０Ｌ，８０Ｒと一体的に形成されたフック部８１Ｌ，８１Ｒと、このフック部８１Ｌ，８１Ｒの先端に設けられた掛止爪７５Ｌ，７５Ｒを有している。そして、内側ラッチ装置５７において、掛止部材７２とラッチ受け７１との掛止状態を解除し、蓋体１を開状態とする際は、例えば右手で、つまみ部８０Ｌ，８０Ｒを挟むようにつまみ、これらつまみ部８０Ｌ，８０Ｒを左右から中心へ向かって押圧することにより、つまみ部８０Ｌ，８０Ｒを折れ曲がり部９５Ｌ，９５Ｒを中心に内側へ向かって回動させると共に、この回動に応じて、フック部８１Ｌ，８１Ｒを回動させることにより、掛止爪７５Ｌ，７５Ｒを重なるように近接する。これにより、ラッチ受け７１の掛止用開口７６を挿通可能な状態となるまで、掛止爪７５Ｌ，７５Ｒを近接した後、掛止用開口７６から掛止爪７５Ｌ，７５Ｒを引き抜く。これと共に、つまみ部８０Ｌ，８０Ｒをつまんだ状態の右手で、蓋体１を上方へ回動し、蓋体１を開状態とする。
このように、掛止部材７２とラッチ受け７１との掛止状態を解除し蓋体１を開状態とする際は、片方の手で、つまみ部８０Ｌ，８０Ｒを押圧したまま、その片方の手で蓋体１を上方へ向かって回動する、という簡単な作業で、上記掛止状態の解除及び蓋体１の上方への回動を行うことができるため、蓋体１を開状態にするための作業が容易になり、作業に係る時間を短縮することができる。特に、道路脇等に連続して多数の支柱３が設けられ、これら支柱３のそれぞれに照明器具２が設けられ、これら照明器具２の定期メンテナンスを一斉に行う場合等においては、照明器具２のメンテナンスにかかる時間の大幅な短縮を図ることができる。
【００５８】
また、本実施の形態によれば、外側ラッチ操作において、ラッチ部材７３のラッチ部材爪部７７と、ラッチ受け７１のラッチ受け掛止部７８とが正常に掛止していない場合や、ラッチ部材７３をラッチ受け７１に掛止した後において、ラッチ部材７３の上部が基端方向へ付勢されておらず、ラッチ部材７３とラッチ受け７１との掛止状態が正常に保持されていない場合等には、ラッチ部材７３は、板ばね４９の付勢部５２に付勢されて、アンロック状態の方向へ回動，変位し、ラッチ部材７３がロック状態に至っていないことが見た目に明らかとなる。このため、例えば、照明器具７０のメンテナンスを行う作業者等は、ラッチ部材７３がロック状態に至っていないことを容易に認識することができ、この認識に基づいて確実にラッチ部材７３をロック状態へ至らしめることができ、安全性の向上を図ることができる。
【００５９】
また、本実施の形態では、ラッチ受け７１の掛止用開口７６に、掛止部材７２の２つの掛止爪７５Ｌ，７５Ｒが掛止する構成となっている。このため、掛止部材７２を強固にラッチ受け７１に掛止することができると共に、例えば片方の掛止爪７５Ｌと掛止用開口７６との掛止が緩んだ場合においても、他の掛止爪７５Ｒと掛止用開口７６との掛止状態は保持されるため、より確実に掛止部材７２をラッチ受け７１に掛止することができる。
【００６０】
なお、上述した実施の形態は、あくまでも本発明の一態様を示すものであり、本発明の範囲内で任意に変形および応用が可能である。
例えば、上述した第１実施形態において、蓋体１に設けられたラッチ部材３１を付勢する板ばね４９は、説明した構成に限らず、ラッチ部材３１をアンロック状態方向へ付勢し、ラッチ部材３１とラッチ受け３０とが正常に掛止していないときに、ラッチ部材３１をアンロック状態の方向へ回動、変位させる構成であればよい。
【図面の簡単な説明】
【００６１】
【図１】蓋体が閉状態の第１実施形態に係る照明器具の斜視図である。
【図２】蓋体が開状態の第１実施形態に係る照明器具の斜視図である。
【図３】内側ラッチ装置がラッチする前の第１実施形態に係る照明器具の先端部の斜視図である。
【図４】内側ラッチ装置がラッチした後の第１実施形態に係る照明器具の先端部の斜視図である。
【図５】外側ラッチ装置がラッチする前の第１実施形態に係る照明器具の先端部の断面図である。
【図６】外側ラッチ装置がラッチした後の第１実施形態に係る照明器具の先端部の断面図である。
【図７】内側ラッチ装置がラッチする前の第２実施形態に係る照明器具の先端部の斜視図である。
【図８】内側ラッチ装置がラッチした後の第２実施形態に係る照明器具の先端部の斜視図である。
【図９】外側ラッチ装置がラッチする前の第２実施形態に係る照明器具の先端部の断面図である。
【図１０】外側ラッチ装置がラッチした後の第２実施形態に係る照明器具の先端部の断面図である。
【図１１】内側ラッチ装置がラッチする前の第３実施形態に係る照明器具の先端部の正面図である。
【図１２】内側ラッチ装置がラッチした後の第３実施形態に係る照明器具の先端部の正面図である。
【図１３】内側ラッチ装置の斜視図である。
【図１４】外側ラッチ装置がラッチする前の第３実施形態に係る照明器具の先端部の断面図である。
【図１５】外側ラッチ装置がラッチした後の第３実施形態に係る照明器具の先端部の断面図である。
【符号の説明】
【００６２】
１  蓋体
２  照明器具
３  支柱
３Ｂ  上端部
４  灯具本体
５  ランプ（光源）
２０  ヒンジ（支軸）
３０，６１，７１  ラッチ受け
３１，６２，７３  ラッチ部材
３２  掛止片
４１  開口
４９  板ばね（付勢手段）
５３，５５，５７  内側ラッチ装置
５４，５６，５８  外側ラッチ装置
６０  照明器具
６３  掛止片
６７  掛止爪
７０  照明器具
７２  掛止部材
７４  平板部
７５Ｌ，７５Ｒ  掛止爪
７６  掛止用開口
８２Ｌ，８２Ｒ  傾斜部
８８  中央部
【図１】
2009048891.tif 000003
【図２】
2009048891.tif 000004
【図３】
2009048891.tif 000005
【図４】
2009048891.tif 000006
【図５】
2009048891.tif 000007
【図６】
2009048891.tif 000008
【図７】
2009048891.tif 000009
【図８】
2009048891.tif 000010
【図９】
2009048891.tif 000011
【図１０】
2009048891.tif 000012
【図１１】
2009048891.tif 000013
【図１２】
2009048891.tif 000014
【図１３】
2009048891.tif 000015
【図１４】
2009048891.tif 000016
【図１５】
2009048891.tif 000017